(57)【特許請求の範囲】
【請求項１】
ウェッジカムを形成したカムシャフトが軸方向に移動した際、前記ウェッジカムのカム作用によりブレーキアームの基端部を拡開揺動するウェッジカム式ブレーキにおいて、
前記カムシャフトの先端部を、ブレーキ本体側の静止部に対しフリクション部材を介して位置調整可能に連結された調整ロッドに嵌合し、
前記フリクション部材は、ブレーキ作動に伴い、前記カムシャフトに過剰ストロークが生じる際、摩擦力を発生することなく、前記調整ロッドが前記静止部に対して軸方向に移動して、前記カムシャフトの軸方向初期位置の変更を許容するとともに、ブレーキが解除された際は、前記カムシャフトに作用する戻り力に抗し、前記調整ロッドが前記静止部に対して移動するのを抑止する摩擦力を発生させることを特徴とするウェッジカム式ブレーキの自動隙間調整機構。
【請求項２】
前記調整ロッドを、ブレーキ本体に固定され、かつ、テーパ面が形成されたスリーブ部材の内部に嵌合するとともに、該調整ロッドの外周にフリクション部材を外嵌し、ブレーキ作動時に前記カムシャフトに過剰ストロークが生じる際には、前記フリクション部材が前記テーパ面の拡開方向に移動することにより、前記調整ロッドが前記ブレーキアームの揺動隙間を低減させる方向に移動するのを許容するとともに、前記ブレーキの非作動時には、前記フリクション部材が前記テーパ面の縮径方向に移動することにより、前記調整ロッドと前記スリーブ部材との相対移動を抑制するようにしたことを特徴とする請求項１に記載されたウェッジカム式ブレーキの自動隙間調整機構。
【発明の詳細な説明】
【技術分野】
【０００１】
本発明は、ウェッジカムのカム作用によりブレーキアームの基端部を拡開揺動するウェッジカム式ブレーキの自動隙間調整機構に関する。
【背景技術】
【０００２】
従来、ブレーキを搭載する車両、特に強力な制動力が要求される鉄道車両用のディスクブレーキでは、ウェッジカムのカム作用により一対のブレーキアームの基端部を拡開してそれらの開放端部に設けられたパッドアッセンブリをブレーキロータ（ディスクロータ）の両側から挟圧してブレーキ動作を行う梃子式のキャリパブレーキが知られている。
これらの梃子式のキャリパブレーキでは、パッドアッセンブリが摩耗すると、ブレーキが効き始める時期が遅れて制動距離が長くなるという問題があった。
そこで、下記特許文献１には、ブレーキアームに、パッドアッセンブリの摩耗に伴う過剰ストロークが発生することがないように、通常、隙間調整機構であるアジャスタ機構をアクチュエータとブレーキアームの基端部との間に配設することが開示されている。
【先行技術文献】
【特許文献】
【０００３】
【特許文献１】特開２００８−１６４１５９号公報
【発明の概要】
【発明が解決しようとする課題】
【０００４】
特許文献１に開示されたブレーキシリンダは、図１３に示すように、シリンダ本体１０２に対して相対移動するピストン１０３と、このピストン１０３とともに移動する軸棒１０４と、該軸棒１０４に取り付けられた押棒１０５と、該押棒１０５のシリンダ本体１０２からの突出長さをブレーキ作動の際に調整する突出長さ調整手段１０６とを備えており、押棒１０５はピストン１０３の移動方向と平行に延びる軸孔を有する円筒状に形成されるとともに、この軸孔の内面の少なくとも一部に雌ネジ１５１が形成され、軸棒１０４は、外面の少なくとも一部にこの雌ネジ１５１と螺合する雄螺子１４１が形成されており、これを軸孔に螺合させて挿入するとともに、外部からの軸周りの回転力を付与する回転力付与手段と係合可能な係合部１４２を有するものである。
【０００５】
このような突出長さ調整手段１０６を備えたブレーキシリンダ１０１において、圧力室１０２ｂ内への圧力供給によって、ピストン１０３を図１３（Ｂ）に示したように、軸棒１０４及び１０５を介して連結部材１０７を、シリンダ本体１０２における第１ケーシング１２１に対して拡開方向に移動させる。これによって、連結部材１０７と第１ケーシング１２１とのそれぞれに接続されたブレーキアームを揺動させてブレーキ動作が行われる。
そして、パッドアッセンブリに摩耗が生じた場合には、蓋部１０８を取り外して軸棒１０４における係合部１４２に、外部からハンドルレンチ等のソケットを係合させて回転させることで、押棒１０５の雌ネジ１５１に対する軸棒１０４の雄ネジ１４１の螺合を進行させて、軸棒１０４と押棒１０５との軸方向距離を拡大させることで、ブレーキアームの過剰ストロークを抑制する隙間調整が可能となる。
【０００６】
また、ブレーキパッドの制動面が摩耗すると、ブレーキを作動させる押棒１０５の必要ストロークが増大し、押棒１０５に形成された凹凸面１５２を介してのガイド部材１６１のストロークも大きくなり、過剰ストロークが発生する。これに伴い、規制体１６５がストッパ１６６に当接するようになると、ガイド部材１６１に大きな戻し力が作用するので、凹凸面１５２を乗り越えて押棒１０５が突出方向に変位することになり、ブレーキアームの過剰ストロークを抑制する自動隙間調整がなされる。
【０００７】
しかしながら、このような従来のアジャスタ機構にあっては、調整作業が外部からのハンドルレンチ等を用いた手動により行われるため、保守作業に負担がかかる上、部品構成が複雑なため、誤組付けを生じやすく、外部からのハンドルレンチ等を用いた手動による調整作業が押棒１０５と軸棒１０４との間でなされることから、雌ネジ１５１と雄螺子１４１との螺合部に過大な力が作用して螺合部が破損した場合、ブレーキ力が低下することも懸念される。
【０００８】
また、ブレーキアームの過剰ストロークを抑制する自動隙間調整に関しては、押棒１０５とガイド部材１６１との間の凹凸面１５２を乗り越えた押棒１０５側の進行によってなされることになるものの、規制体１６５やストッパ１６６等の余分な部材を要して複雑な構成となる上、パッド摩耗量が過大となったり、規制体１６５やストッパ１６６等の損傷で隙間調整機能が低下する可能性もある。
さらに、自動隙間調整後の押棒１０５の戻りを確実に防止するためには、凹凸面１５２による制動力を高めざるを得ず、その結果、ブレーキ作動に伴う自動隙間調整時に大きな抵抗となり、ブレーキシリンダ１０１の圧力室１０２ｂに供給する圧力を高める必要があり、円滑なブレーキストロークの障害となる。一方これを防ぐため、凹凸面１５２による制動力を低くすると、ブレーキ非作動時、押棒１０５が戻ってしまい、隙間調整が無効になってしまう。
【０００９】
そこで本発明の目的は、従来のアジャスタ機構における諸課題を解決して、組付け性に優れ、簡素な構造で高い精度を要することなく、隙間調整もスムースかつ安定して行え、ブレーキ力を低下させることもなく、通常ストロークと過剰ストロークとを明確に識別するとともに、通常のブレーキ作動に与える影響を最小限に抑制した上で、自動調整された隙間を確実に維持することが可能なウェッジカム式ブレーキの自動隙間調整機構を提供することにある。
【課題を解決するための手段】
【００１０】
上記の課題を解決するため、本発明のウェッジカム式ブレーキの自動隙間調整機構においては、次のような技術的手段を講じた。すなわち、
（１）ウェッジカムを形成したカムシャフトが軸方向に移動した際、前記ウェッジカムのカム作用によりブレーキアームの基端部を拡開揺動するウェッジカム式ブレーキにおいて、前記カムシャフトの先端部を、ブレーキ本体側の静止部に対しフリクション部材を介して位置調整可能に連結された調整ロッドに嵌合し、前記フリクション部材は、ブレーキ作動に伴い、前記カムシャフトに過剰ストロークが生じる際、摩擦力を発生することなく、前記調整ロッドが前記静止部に対して軸方向に移動して、前記カムシャフトの軸方向初期位置の変更を許容するとともに、ブレーキが解除された際は、前記カムシャフトに作用する戻り力に抗し、前記調整ロッドが前記静止部に対して移動するのを抑止する摩擦力を発生させるようにした。
【００１１】
（２）上記のウェッジカム式ブレーキの自動隙間調整機構において、前記調整ロッドを、ブレーキ本体に固定され、かつ、テーパ面が形成されたスリーブ部材の内部に嵌合するとともに、該調整ロッドの外周にフリクション部材を外嵌し、ブレーキ作動時に前記カムシャフトに過剰ストロークが生じる際には、前記フリクション部材が前記テーパ面の拡開方向に移動することにより、前記調整ロッドが前記ブレーキアームの揺動隙間を低減させる方向に移動するのを許容するとともに、前記ブレーキの非作動時には、前記フリクション部材が前記テーパ面の縮径方向に移動することにより、前記調整ロッドと前記スリーブ部材との相対移動を抑制するようにした。
【発明の効果】
【００１２】
本発明によれば、ウェッジカム式ブレーキにおいて、カムシャフトの先端部を、ブレーキ本体側の静止部に対しフリクション部材を介して位置調整可能に連結された調整ロッドに嵌合し、ブレーキ作動に伴い、カムシャフトに過剰ストロークが生じる際、フリクション部材は、摩擦力を発生することなく、調整ロッドが静止部に対して軸方向に移動して、カムシャフトの軸方向初期位置の変更を許容するので、ブレーキパッドが摩耗した場合でも、ブレーキの作動に影響を及ぼすことなく、カムシャフトが最適な位置に調整され、自動的に隙間調整がなされる。そして、ブレーキが解除された場合には、フリクション部材は、調整ロッドが静止部に対して移動するのを確実に抑止する摩擦力を発生するので、車両が大きく振動した場合などでも、自動調整された位置を確実に維持することができる。
このように本発明によれば、非常にシンプルな構成で、しかも大きな負荷を受ける規制体やストッパ等を必要とせず、信頼性の高いウェッジカム式ブレーキの自動隙間調整を実現することができる。
【００１３】
また、調整ロッドを、ブレーキ本体に固定され、かつ、テーパ面が形成されたスリーブ部材の内部に嵌合するとともに、該調整ロッドの外周にフリクション部材を外嵌し、ブレーキ作動時に前記カムシャフトに過剰ストロークが生じる際には、フリクション部材がテーパ面の拡開方向に移動することにより、調整ロッドがブレーキアームの揺動隙間を低減させる方向にスムースに移動するのを許容するとともに、ブレーキの非作動時には、フリクション部材がテーパ面の縮径方向に移動することにより、調整ロッドとスリーブとの相対移動が確実に抑止されるので、新たな部品を使用することなく、円滑な自動隙間調整と、調整位置の保持を両立させることができる。
【図面の簡単な説明】
【００１４】
【図１】本発明の実施例に係る、ウェッジカム式ブレーキの全体構造を示す図
【図２】本発明の実施例に係る自動隙間調整機構の全体構造を示す図（図１のＡ−Ａ断面）
【図３】自動隙間調整機構の初期状態を示す要部平断面図
【図４】実施例に係る自動隙間調整機構の状態を示す分解斜視図
【図５】ブレーキ非作動時における自動隙間調整機構の状態を示す要部平断面図
【図６】ブレーキ作動時における自動隙間調整機構の状態を示す要部平断面図
【図７】隙間調整（アジャスト）直前のブレーキ作動状態を示す要部平断面図。
【図８】自動隙間調整機構による隙間調整時のブレーキ作動状態を示す要部平断面図
【図９】自動隙間調整機構による隙間調整後、ブレーキ非作動に復帰した状態を示す要部平断面図
【図１０】自動隙間調整機構とブレーキアームを介したパッドアッセンブリとの関連による隙間調整の過程を示す模式図
【図１１】ブレーキ解除時のフリクション部材の状態を示す図
【図１２】ブレーキ作動時のフリクション部材の状態を示す図
【図１３】従来の隙間調整機構を備えたブレーキシリンダの説明図
【発明を実施するための形態】
【００１５】
以下、本発明のウェッジカム式ブレーキの自動隙間調整機構を実施するための好適な形態を図面に基づいて説明する。
【実施例】
【００１６】
以下、図１、図２を用いて、本発明のウェッジカム式ブレーキの自動隙間調整機構について説明する。
図１は、ウェッジカム式ブレーキの全体構造を示し、ボディ１はサポート２を介して、車体側に固定され、サポート２の反対側には、一対のブレーキアーム３、３の中間部がブレーキアーム軸４、４によってそれぞれ軸支される。
ブレーキアーム３、３の各開放端（サポート２の反対側）にはパッドホルダ５を介してパッドアッセンブリ６、６が装着されている。
図２は、ブレーキが非作動の初期状態における図１のＡ−Ａ断面を示しており、ブレーキアーム３、３の各基端部には、出力軸となるリンクロッド７、７の外側端が球面ブッシュ８により支持されており、このリンクロッド７、７の内側端は、球面ブッシュ９により、ローラアーム１０、１０に連結、支持されている。そして、ローラアーム１０、１０の下端は、ベアリング１１、１１を介してストラット１２の両端部に軸支されて、リンク式倍力装置を構成している。
【００１７】
図２において、カムシャフト１３の上方には、エアーシリンダ１４が配設されており、ブレーキを作動させるため、エアーを供給口１５から導入して、エアーシリンダ１４内部の空圧室に充填させると、エアーピストン１６をチャンバスプリング１７の復元力に抗して下側に作動させる。
カムシャフト１３の下側への移動に伴い、ローラアーム１０、１０の上端に取り付けられたカムローラ１８、１８は、カムシャフト１３にナット１９により取り付けられたウェッジカム２０の傾斜面に乗り上げることになる。
【００１８】
ウェッジカム２０の傾斜面へのカムローラ１８、１８の乗上げによって、ローラアーム１０、１０は拡開方向に揺動して、ローラアーム１０、１０の略中間部に球面ブッシュ９、９により連結・支持されたリンクロッド７、７を梃子の原理によって倍力して外方（図面左右方向）へ軸動させる。これによって、ブレーキアーム３、３の各基端部をアーム軸４、４を揺動中心として拡開方向に移動させて、ブレーキアーム３、３の開放端部に配設されたパッドアッセンブリ６、６をディスクロータ２１(図１０参照)に挟圧させてブレーキ動作が行われる。
【００１９】
エアーシリンダ１４に対して軸方向の反対側（図２下側）である、カムシャフト１３の先端部１３Ａ側には、本実施例による自動隙間調整機構が配設される。
自動隙間調整機構は、図３の要部拡大図に示すように、車体側に固定され、静止部となるボディ１に対して支持されたスリーブ部材２２と、その内周部に嵌合された調整ロッド２３と、この調整ロッド２３内に摺動自在に嵌合されたカムシャフト１３、そして、図７で後述するように、過剰ストローク時に調整ロッド２３の後端面（図３の上端側）に、ウェッジカム２０の前端面（図３の下端側）が衝接するように構成されている。
スリーブ部材２２の内周面には、フリクション部材２４が配設され、止め輪２５によって抜け止めされている。なお、フリクション部材２４により調整ロッド２３の外周面に作用する摩擦力は、チャンバスプリング１７の復元力により確実に大きくなるよう設定されているため、チャンバスプリング１７の復元力が作用しても、互いの摺動は確実に規制されるようになっている。
【００２０】
また、過剰ストロークにより隙間調整がなされた後に、スリーブ部材２２に対して他方側（ブレーキ作動方向）に突出した調整ロッド２３を、外部から押圧して復帰させるためのリリースプラグ２７がボディ１の他方側（図３下方側）に配設される。なお、このリリースプラグ２７は、キャップ２８により被覆され、復帰スプリング２９により、上方に付勢されている。
これにより、パッドアッセンブリ等の新品の交換等の際に、リリースプラグ２７による上方への付勢によって、カムシャフト１３の軸方向の初期位置を変更して軸方向の原位置に容易に再設定できるので、パッドアッセンブリ等の新品の交換等が迅速に行える。
【００２１】
図４は、本発明のウェッジカム式ブレーキに採用される自動隙間調整機構を理解し易く示した分解斜視図である。
前述したように、カムシャフト１３の先端部１３Ａ側には、本実施例の自動隙間調整機構が配設されている。
自動隙間調整機構は、静止部であるボディ１に支持されたスリーブ部材２２と、その内周部に嵌合された調整ロッド２３と、この調整ロッド２３内に摺動自在に嵌合されたカムシャフト１３、さらには、過剰ストローク時に調整ロッド２３の後端面に前端面が衝接することになるウェッジカム２０とから構成される。
【００２２】
調整ロッド２３の内周面とカムシャフト１３の外周面との間には、ブッシュ２６が調整ロッド２３の内周面に圧入される。カムシャフト１３の先端部１３Ａには径大部１３Ｂが形成され、調整ロッド２３の中間に形成された径小段部２３Ａに衝接して、図３に示されるように、カムシャフト１３の復帰時に、カムシャフト１３の径大部１３Ｂが、調整ロッド２３の径小段部２３Ａに衝接して抜け止めされる。
【００２３】
すなわち、スリーブ部材２２のスリーブ部には、カムシャフト１３の先端部１３Ａをガイドするブッシュ２６を内周面に圧入した調整ロッド２３が嵌合され、この調整ロッド２３内の中間の径小段部２３Ａに衝接するよう、カムシャフト１３の先端部１３Ａの径大部１３Ｂがさらに嵌合される。スリーブ部材２２と調整ロッド２３との間にはフリクション部材２４が配設され、このフリクション部材２４はスリーブ部材２２のスリーブ部との間に設置される止め輪２５によって抜け止めされる。なお、スリーブ部材２２及びウェッジカム２０にわたって挿通されたカムシャフト１３の基端部に螺合されるナット３０により、カムシャフト１３はウェッジカム２０に緊締されている。
【００２４】
図５〜図９は、本実施例の自動隙間調整機構がどのように作動するかを説明するための要部平断面図で、ボディ、エアーシリンダ、及びリリースプラグ等が図示省略されており、自動隙間調整機構の詳細についても簡略化されている。
図５は、図２と同様、自動隙間調整機構はもとよりブレーキも非作動の初期状態を示し、この状態から、図示外のエアーピストン１６により、チャンバスプリング１７の復元力に抗してカムシャフト１３を軸方向他方側（図面下側）に作動させると、図６に示すように、通常のブレーキ作動状態となり、カムシャフト１３に取り付けられて形成されたウェッジカム２０の傾斜面にカムローラ１８、１８が乗り上げる。
【００２５】
これによって、ストラット１２の両端部のベアリング１１、１１に軸支された一対のローラアーム１０、１０がリンク式倍力装置として機能し、ベアリング１１、１１を軸支点として外側に拡開し、ローラアーム１０、１０の略中間部に球面ブッシュ９、９により連結・支持されたリンクロッド７、７を梃子の原理によって倍力されて外方（図面左右方向）へ軸動させる。このようにして、図１、図２に示されるブレーキアーム３、３の各基端部を、アーム軸４を揺動中心として拡開方向に移動させて、その開放端部に配設されたパッドアッセンブリ６、６をディスクロータ２１（図１０参照）に挟圧させてブレーキ動作が行われる。
【００２６】
このときカムシャフト１３の径大部１３Ｂは、図３に示される調整ロッド２３内に圧入されたブッシュ２６や調整ロッド２３内周の径小段差部２３Ａの複数箇所で安定して支持されて、調整ロッド２３内を軸方向に移動することができるので、ウェッジカム２０の傾斜面によってローラアーム１０、１０を拡開してリンクロッド７、７を介してブレーキ動作を行うことになる。
この状態からブレーキ動作が解除されると、カムシャフト１３は、チャンバスプリング１７の復元力により、初期位置に復帰すべく図面上方へ後退する。その結果、カムシャフト１３の先端部の径大部１３Ｂが調整ロッド２３における径小段差部２３Ａに衝接して初期位置となる。
【００２７】
図７は自動隙間調整機構の過剰ストロークによる隙間調整（アジャスト）直前のブレーキ作動状態を示す要部平断面図で、図８は自動隙間調整機構の隙間調整時のブレーキ作動状態を示す要部平断面図である。パッド等が摩耗すると、ブレーキアーム３の揺動ストロークが増大し、ひいては、カムシャフト１３のストロークが通常の範囲を逸脱して過剰ストロークとなり、軸方向下方側に移動する。
これによって、図７に示すように、調整ロッド２３の後端面（上端面）にウェッジカム２０の前端面（下端面）が衝接することになる。カムシャフト１３が過剰ストロークによりさらに進行（下降）すると、図８に示すように静止部であるスリーブ部材２２と調整ロッド２３との間に配設されたフリクション部材２４の摩擦による抵抗値を超えて、スリーブ部材２２に対して調整ロッド２３が相対的に進行して突出し、隙間調整が完了する。
【００２８】
図９は、自動隙間調整機構の隙間調整後のブレーキ非作動状態を示す要部平断面図である。隙間調整が完了すると、この状態から、チャンバスプリング１７の復元力により、カムシャフト１３が調整スリーブ２３内を初期位置に戻り、カムシャフト１３の先端部の径大部１３Ｂが調整ロッド２３における径小段差部２３Ａ（図３参照）に衝接して初期位置となる。
パッド等の摩耗により起因した過剰ストロークによって生じたブレーキアーム３、３の揺動隙間を解消すべく補償された隙間調整により、調整ロッド２３がスリーブ部材２２から相対的に進行して突出した状態となっていることから、隙間調整後のカムシャフト１３の初期位置は原位置よりも隙間調整された調整ロッド２３の突出分だけウェッジカム２０も進行した位置にあり、したがって、ウェッジカム２０の傾斜面とカム係合するローラアーム１０、１０も拡開した状態となっており。つまり、パッド等の摩耗分だけ予め進行した隙間調整状態が現出される。
【００２９】
図１０は、自動隙間調整機構とブレーキアームを介したパッドアッセンブリとの関連による隙間調整工程の模式図である。図１０では静止側であるボディに取り付けられたスリーブ部材２０については図示を省略されている。図１０（Ａ）の初期状態からウェッジカム２０及びカムシャフト１３が進行し、カムローラ１８、１８を介してブレーキアーム３、３の基端部が拡開し、揺動支点であるアーム軸４，４を中心に揺動して開放端部に装着されたパッドアッセンブリ６、６をディスクロータ２１の側面に挟持して圧接して図１０（Ｂ）のブレーキ作動状態になる。このとき、カムシャフト１３は調整ロッド２２に対して進行する。
【００３０】
図１０（Ｃ）は、パッドアッセンブリ６、６におけるパッドが摩耗して自動隙間調整機構により隙間調整が行われて、図示省略のスリーブ部材２２のフリクション部材２４に対する調整ロッド２３が進行した突出状態にあり、また、パッドアッセンブリ６、６がディスクロータ２１に接触していないブレーキ非作動の状態が示されている。
図１０（Ｄ）は、ウェッジカム２０及びカムシャフト１３が共に進行してブレーキアーム３、３が作動位置に揺動し、その開放端部に装着されたパッドアッセンブリ６、６がディスクロータ２１の側面に挟持して圧接したブレーキ作動中の状態が示されている。
図１０の例では、簡略化のため、ローラアーム１０等により構成されるリンク式倍力装置ではなく、ウェッジカム２０にて押し広げられるカムローラ１８、１８がリンクロッドを介して直接にブレーキアーム３、３の基端部を拡開するような形式となっているが、もちろん、図２のようなローラアーム１３を備えたリンク式倍力装置としてもよい。
【００３１】
図１１、図１２を用いてフリクション部材２４の構造を詳細に説明する。
フリクション部材２４は、例えば、スチール製の芯線を密に巻き付けることにより構成され、調整ロッド２３に嵌合されている。また、スリーブ部材２２の内部には、図において下方に向けて拡開するテーパ面が形成されており、調整ロッド２３の外周面との間隙が上方に向かうにつれ徐々に狭くなっており、その上端は、フリクション部材２４の芯線の径より確実に小さくなるよう設定されている。
なお、具体的には、この例では、フリクション部材２４は、ばね鋼ＳＵＳ３０４からなる芯線をしまり嵌めで螺旋状に巻き付けることにより形成されている。
【００３２】
図１１は、図２と同様に、ウェッジカム２０が上端にあるブレーキ解放時、すなわちブレーキ非作動の状態を示しており、チャンバスプリング１７の作用により、カムシャフト１３は上端に偏倚されており、これにより、フリクション部材２４の上端は、スリーブ部材２２の開口部上端付近と調整ロッド２３の外周面との間隙がフリクション部材２４の芯線の径と一致するところで係止される。
このとき、フリクション部材２４の上端付近が、スリーブ部材２２の開口部に形成されたテーパ面の作用により、調整ロッド２３の表面に向けて強力に押圧され、調整ロッド２３が上昇しようとしても、その外周面とスリーブ部材２２の開口部内面との間に強力な摩擦力が発生し、車両が大きく振動しても、調整ロッド２３がスリーブ部材２２に対し相対的に移動することが防止される。
【００３３】
一方、図１２に示すように、ブレーキが作動され、パッド等の摩耗分だけ予め進行した隙間調整がなされる場合には、ウェッジカム２０が、チャンバスプリング１７の作用に抗してカムシャフト１３が下降し、これに伴い調整ロッド２３が下降する場合には、フリクション部材２４の上端付近が、スリーブ部材２２の内部に形成されたテーパ面上方の縮径部から開放されるので、調整ロッド２３には、その外表面がフリクション部材２４と摺接する際の摩擦力のみが作用するので、スムースに隙間調整のための移動を行うことができる。
なお、フリクション部材２４を、スリーブ部材２２の開口部に形成されたテーパ面に沿う形状、すなわち、下方に向けて拡開する形状にすれば、よりスムースな隙間調整と確実な係止を実現することができる。
【００３４】
以上、本発明の実施例について説明してきたが、フリクション部材２４としてゴム等の合成樹脂からなる円筒部材としてもよい。
要は、パッドアッセンブリ６のパッドが摩耗して、ブレーキ作動時にカムシャフト１１が過剰にストロークした際、調整ロッド２３が、ブレーキアーム３、３の揺動隙間を低減させる方向、すなわち、図１２では下降を許容する方向には、摩擦力が低減され、一方、ブレーキが非作動になった際には、チャンバスプリング９による復元力に打ち勝って、調整ロッド２３のスリーブ部材２２に対する相対移動を確実に抑止するによう、強力な摩擦力を発生するようにすればよいから、フリクション部材２４としてゴム等の合成樹脂からなる円筒部材で形成する場合は、調整ロッド２３の内周面にテーパ面を設けることに代え、フリクション部材２４の厚みを、上方に向けて徐々に厚くすることによりテーパ面を設けてもよい。
【００３５】
さらにこのようにテーパ面を形成するのに代え、例えば、図１１において、下降する際には大きな摩擦力を発生せず調整ロッド２３の下降を許容し、上昇する際にはこれを阻止するラチェット機構を設け、ブレーキパッド交換時などには、ラチェットに設けた解除機構を作動させ、調整ロッド２３を上昇させて、ブレーキパッド新品位置に復帰させるようにすればよい。
【００３６】
その他、本発明の趣旨の範囲内で、ウェッジカムの形状、及びそのカムシャフトへの取付け形態、ウェッジカムとブレーキアーム基端部との関連構成、さらには、過剰ストロークが生じる際に、ウェッジカムの前端面が調整ロッドの後端面に衝接する構造として、調整ロッドの後端面とウェッジカムの前端面との間に製作誤差を調整するシム等を介在させる等様々な変形例が考えられる。
さらに、調整ロッドのスリーブ部材に対する摩擦付与部材としてのフリクション部材の材質、摩擦係数の選定、あるいは、スリーブ部材の内周側に配設するものに代えて、調整ロッドの外周側に配設するなどの配設形態、カムシャフトの先端部における径大部と調整ロッドにおける径小段差部との衝接形態、リリースプラグの形状、形式及びそのボディへの配設形態等についても適宜選定できる。
また、実施例では、鉄道車両用ブレーキを用いて説明したが、大型トラック等の自動車等にも本発明を適用できることは明らかである。
【産業上の利用可能性】
【００３７】
以上説明したように、本発明のウェッジカム式ブレーキの自動隙間調整機構によれば、ブレーキ作動に伴い、カムシャフトに過剰ストロークが生じる際、摩擦力を発生することなく、カムシャフトの軸方向初期位置の変更を許容するとともに、ブレーキが解除された際は、その変更位置が確実に維持されるので、新たな部品を使用することなく、円滑な自動隙間調整と、調整位置の保持を両立させることができるので、信頼性の高いブレーキ装置として広く採用されることが期待できる。
【符号の説明】
【００３８】
１      ボディ
２      サポート
３      ブレーキアーム
４      ブレーキアーム軸
５      パッドホルダ
６      パッドアッセンブリ
７      リンクロッド
１０    ローラアーム
１３    カムシャフト
２０    ウェッジカム
２２    スリーブ部材
２３    調整ロッド
２４    フリクション部材
【図１】
0005814176.tif 000002
【図２】
0005814176.tif 000003
【図３】
0005814176.tif 000004
【図４】
0005814176.tif 000005
【図５】
0005814176.tif 000006
【図６】
0005814176.tif 000007
【図７】
0005814176.tif 000008
【図８】
0005814176.tif 000009
【図９】
0005814176.tif 000010
【図１０】
0005814176.tif 000011
【図１１】
0005814176.tif 000012
【図１２】
0005814176.tif 000013
【図１３】
0005814176.tif 000014